(57)【要約】【課題】大型・大重量の物品でもしっかりと保持し、振動や衝撃から保護できる梱包構造を提供する。【解決手段】細長い物品４０を収納する細長いカートンボックス１１の内部底面に、段ボール積層ブロックからなる枕木２０、２１を置き、その上に物品４０を載置する。物品４０の一方の端部とカートンボックス１１の内面との間にはハニカム構造段ボールシート２２を挿入する。カートンボックス１１の内面と物品４０の外面との隙間には段ボール紙を折曲して形成したくさび体２３、２５、２６を挿入する。くさび体２３、２５、２６の上に段ボール積層ブロックからなるビーム２７を置き、カートンボックス１１の上フラップ１２、１３、１４、１５を閉じると、くさび体２３、２５、２６は物品４０を圧迫し、枕木２０、２１との間で物品４０を挟みつける。【選択図】図１
2008189360.tif 000002
【特許請求の範囲】
【請求項１】
細長い段ボール紙製梱包箱に細長い物品を収納する梱包構造において、
前記梱包箱の内部底面に載置されて前記物品を下から支える、段ボール積層ブロックからなる枕木と、前記梱包箱の内面と前記物品の外面との隙間に挿入される、段ボール紙を折曲して形成されたくさび体とを備えることを特徴とする梱包構造。
【請求項２】
前記枕木は複数本存在し、各々が、その支える前記物品の部位に合わせた高さに設定されていることを特徴とする請求項１に記載の梱包構造。
【請求項３】
前記梱包箱は上面開口部に上フラップを備えたカートンボックスからなり、前記くさび体は前記物品の肩部にあてがわれるものであり、前記カートンボックスの上フラップが閉じられると前記くさび体は上フラップからの圧力を受けて前記枕木との間で物品を挟みつけることを特徴とする請求項１または２に記載の梱包構造。
【請求項４】
前記梱包箱は上面が開口した胴部とこれに被せられる蓋からなり、前記くさび体は前記物品の肩部にあてがわれるものであり、前記胴部に前記蓋が被せられると前記くさび体は蓋からの圧力を受けて前記枕木との間で物品を挟みつけることを特徴とする請求項１または２に記載の梱包構造。
【請求項５】
前記梱包箱の内部には、長手方向の角に沿って段ボール積層ブロックからなるビームが挿入され、このビームが前記くさび体を圧迫することを特徴とする請求項３または４に記載の梱包構造。
【請求項６】
前記物品の端部と前記梱包箱の内面との間に、ハニカム構造段ボールシートが挿入されることを特徴とする請求項１から５のいずれか１項に記載の梱包構造。
【請求項７】
前記梱包箱が複層段ボール紙からなることを特徴とする請求項１から６のいずれか１項に記載の梱包構造。
【請求項８】
前記物品がガスタービンの燃焼器であることを特徴とする請求項１から７のいずれか１項に記載の梱包構造。
【発明の詳細な説明】
【技術分野】
【０００１】
本発明は段ボール紙製梱包箱を用いる梱包構造に関する。
【背景技術】
【０００２】
段ボール紙製梱包箱は、物品の大小を問わず、梱包の用途に広く用いられている。梱包箱に緩衝材を入れて物品を所定の位置に落ち着かせ、また振動や衝撃から物品を保護することも良く行われる。そのような緩衝材付きの梱包箱の例を特許文献１に見ることができる。
【特許文献１】特開２００３−１１８７７４号公報
【発明の開示】
【発明が解決しようとする課題】
【０００３】
特許文献１記載の梱包構造は、電子機器のような比較的小型軽量の物品の梱包には好適するものの、もっと大型で大重量の物品を梱包する用途に適しているとは言い難い。
【０００４】
本発明は上記の点に鑑みなされたものであり、大型・大重量の物品でもしっかりと保持し、振動や衝撃から保護できる梱包構造を提供することを目的とする。
【課題を解決するための手段】
【０００５】
（１）上記目的を達成するために本発明は、細長い段ボール紙製梱包箱に細長い物品を収納する梱包構造において、前記梱包箱の内部底面に載置されて前記物品を下から支える、段ボール積層ブロックからなる枕木と、前記梱包箱の内面と前記物品の外面との隙間に挿入される、段ボール紙を折曲して形成されたくさび体とを備えることを特徴としている。
【０００６】
この構成によると、段ボール積層ブロックからなる枕木で物品を支えるので、物品の形状に合わせて枕木の高さを変えることにより、物品をがたつきなく支持することができる。枕木は梱包箱の補強にも役立つ。また梱包箱の内面と物品の外面との隙間には、段ボール紙を折曲して形成されたくさび体を挿入したので、梱包箱内での物品の移動を阻止できる。さらに、梱包構造の主要部分が段ボール紙により構成されるので、用済み後の処分が楽である。
【０００７】
（２）また本発明は、上記構成の梱包構造において、前記枕木は複数本存在し、各々が、その支える前記物品の部位に合わせた高さに設定されていることを特徴としている。
【０００８】
この構成によると、物品の外形に勾配や起伏があったとしても、物品を水平面に対し所定の角度で支持できる。
【０００９】
（３）また本発明は、上記構成の梱包構造において、前記梱包箱は上面開口部に上フラップを備えたカートンボックスからなり、前記くさび体は前記物品の肩部にあてがわれるものであり、前記カートンボックスの上フラップが閉じられると前記くさび体は上フラップからの圧力を受けて前記枕木との間で物品を挟みつけることを特徴としている。
【００１０】
この構成によると、カートンボックスの封止と同時に物品は枕木とくさび体で圧迫されるから、梱包作業の自然な流れの中で物品の確実な保持を達成することができる。
【００１１】
（４）また本発明は、上記構成の梱包構造において、前記梱包箱は上面が開口した胴部とこれに被せられる蓋からなり、前記くさび体は前記物品の肩部にあてがわれるものであり、前記胴部に前記蓋が被せられると前記くさび体は蓋からの圧力を受けて前記枕木との間で物品を挟みつけることを特徴としている。
【００１２】
この構成によると、胴部に蓋をすると同時に物品は枕木とくさび体で圧迫されるから、梱包作業の自然な流れの中で物品の確実な保持を達成することができる。
【００１３】
（５）また本発明は、上記構成の梱包構造において、前記梱包箱の内部には、長手方向の角に沿って段ボール積層ブロックからなるビームが挿入され、このビームが前記くさび体を圧迫することを特徴としている。
【００１４】
この構成によると、くさび体を所定深さまでビームでしっかりと押し込むことができる。またビームの存在により梱包箱の曲げに対する剛性が増し、梱包箱の強度を高めることができる。
【００１５】
（６）また本発明は、上記構成の梱包構造において、前記物品の端部と前記梱包箱の内面との間に、ハニカム構造段ボールシートが挿入されることを特徴としている。
【００１６】
この構成によると、梱包箱が長手方向に衝撃を受けたとしても、内部の物品はハニカム構造段ボールシートで受け止められ、梱包箱を突き破って出てくるようなことがない。
【００１７】
（６）また本発明は、上記構成の梱包構造において、前記梱包箱が複層段ボール紙からなることを特徴としている。
【００１８】
この構成によると、高強度で信頼性の高い梱包構造を提供することができる。
【００１９】
（７）また本発明は、上記構成の梱包構造において、前記物品がガスタービンの燃焼器であることを特徴としている。
【００２０】
この構成によると、高価格であり、変形が忌避されるガスタービンの燃焼器を効果的に保護することができる。
【発明の効果】
【００２１】
本発明によると、段ボール積層ブロックからなる枕木、段ボール紙を折曲して形成されたくさび体、段ボール積層ブロックからなるビーム、ハニカム構造段ボールシートなどを用いて、梱包箱内に物品をしっかりと固定できる。梱包構造の主要部分が段ボール紙なので、用済み後の処分も楽である。
【発明を実施するための最良の形態】
【００２２】
以下図１−４に基づき本発明の第１実施形態を説明する。図１は梱包箱の長手方向に沿って切断した梱包構造の垂直断面図、図２は図１のＡ−Ａ線に沿って切断した垂直断面図、図３はハニカム構造段ボールシートの正面図、図４は梱包完了状態の梱包箱をパレットに固定する状況を説明する斜視図である。
【００２３】
梱包構造１の中心をなすのは段ボール紙製梱包箱１０である。第１実施形態では、上面開口部と下面開口部をそれぞれ４枚ずつのフラップで閉ざす、一般的な構造のカートンボックス１１が梱包箱１０として用いられている。カートンボックス１１に入れられる物品４０として例示されているのはガスタービンの燃焼器である。細長い燃焼器に合わせてカートンボックス１１も細長く形成されている。
【００２４】
カートンボックス１１は、直方体形状で上面と下面が開口部となった胴部に計８個のフラップを形成したものである。カートンボックス１１の上面開口部には長手方向の辺に沿って上フラップ１２、１３が形成され、長手方向と直交する辺に沿って上フラップ１４、１５が形成される。カートンボックス１１の下面開口部には長手方向の辺に沿って下フラップ１６、１７が形成され、長手方向と直交する辺に沿って下フラップ１８、１９が形成される。
【００２５】
下フラップ１８、１９を内側に折り込み、それに続いて下フラップ１６、１７を内側に折り込むと、上面の開いた直方体形状のカートンボックス１１が起函される。この後、下フラップ１６、１７を下フラップ１８、１９にステープル止めする、あるいは下フラップ１６、１７の合わせ目をテープで封じるなどの周知の手段で起函状態を固定する。
【００２６】
続いてカートンボックス１１の内部底面に、カートンボックス１１の長手方向と直角をなす形で枕木２０、２１を載置する。枕木２０、２１はコルゲート層を何層も積層した段ボール積層ブロックからなる。その長さは、カートンボックス１１の対向内面間の距離にほぼ等しく設定してある。高さについて言えば、物品４０の形状に合わせる形で、枕木２１は枕木２０よりも高くなっている。
【００２７】
枕木２０、２１は接着剤や両面テープなど周知の手段を用いてフラップ１６、１７の内面に固定される。なお枕木の数は実施形態では２としたが、これに限定されるものではない。
【００２８】
枕木２０、２１の上に物品４０を載置する。物品４０の一方の端部とカートンボックス１１の内面との間にはハニカム構造段ボールシート２２を挿入する。ハニカム構造段ボールシート２２は、図３に見られるようなハニカム構造が何層も重ねられたものである。
【００２９】
図２に見られるように、物品４０の断面形状は概ね円形なので、その外面とカートンボックス１１の内面との間に隙間が生じる。また物品４０がガスタービンの燃焼器であることから、ハニカム構造段ボールシート２２に面しない方の物品４０の端部は斜め上を向き、やはりカートンボックス１１の内面との間に隙間を生じる。これらの隙間を、段ボール紙を折曲した上、端同士をテープやステープルで固定して形成した、断面形状三角形のくさび体で埋める。
【００３０】
第１実施形態では、３種類計５個のくさび体が用いられている。第１の種類は、物品４０のハニカム構造段ボールシート２２に近い側の両肩部にあてがわれる、１対のくさび体２３である。このくさび体２３は結束バンド２４で物品４０にくくりつけられる。第２の種類は、ハニカム構造段ボールシート２２をあてがわれる側と反対側で、物品４０の端部が斜め上を向くことにより生じた肩部にあてがわれるくさび体２５である。第３の種類は、くさび体２３とくさび体２５の間において物品４０の両肩部にあてがわれる、１対のくさび体２６である。
【００３１】
くさび体を挿入した後、カートンボックス１１の中の長手方向の角に沿う形で１対のビーム２７を挿入する。枕木と同様、ビーム２７も段ボール積層ブロックからなる。その長さは、ハニカム構造段ボールシート２２から対向するカートンボックス１１の内面までの距離にほぼ等しく設定してある。
【００３２】
各ビーム２７は、それぞれの側でくさび体２３、２５、２６に載置される。上フラップ１２、１３、１４、１５を閉じない状態で、ビーム２７の上部が胴部１１からはみ出す形になるよう、くさび体２３、２５、２６とビーム２７の寸法を設定する。
【００３３】
ビーム２７の挿入までが済んだ段階で、上フラップ１４、１５を内側に折り込み、それに続いて上フラップ１２、１３を内側に折り込む。すると上フラップ１２、１３、１４、１５からの圧力により、胴部１１からはみ出していたビーム２７が押し込まれ、くさび体２３、２５、２６を圧迫する。それを受けてくさび体２３、２５、２６は物品４０を圧迫し、物品４０は枕木２０、２１とくさび体２３、２５、２６との間で挟みつけられることになる。
【００３４】
くさび体２３、２６がそれぞれ物品４０の円周面を両側から挟むので、物品４０が枕木２０、２１の上を転がることがない。また物品４０の一方の端にはハニカム積層シート２２があてがわれ、他方の端にはくさび体２５があてがわれるので、物品４０が長手方向にずれることもない。
【００３５】
上フラップ１２、１３、１４、１５を閉じ終わった後、上フラップ１２、１３の合わせ目をテープで封じ、カートンボックス１１の封止状態を固定する。なお、ビーム２７がカートンボックス１１の内部で移動しないよう、ビーム２７同士の間にスペーサーを入れるか、あるいはくさび体２３、２５、２６のいずれかまたは全部にビーム移動阻止用ストッパーを形成するなどの手段を施しておくとよい。
【００３６】
完成状態の梱包構造１にあっては、段ボール積層ブロックの枕木２０、２１とビーム２７がそれぞれ補強の役割を果たし、カートンボックス１１の剛性が増す。これによりカートンボックス１１は物品４０の保護の役割を十分に果たし得ることになる。
【００３７】
カートンボックス１１の構成材料としては、強度の高い複層段ボール紙を使用するのがよい。また、雨や、海上輸送の場合には波しぶきがかかることなども考慮して、段ボール紙には長繊維のバージンパルプを主体とする耐水性の高いものを採用するのが望ましい。
【００３８】
梱包完了状態の梱包箱１０は図４に示すパレット２８に結束バンド２９で固定される。梱包箱１０が細長い形状なので、例えば図のように４本ひとまとめにして結束することができる。なお４本の梱包箱１０のうち、パレット２８に接する少なくとも１本をパレット２８にステープルで固定しておくとよい。こうしておけば、結束された梱包箱１０の全てが、荷役の途中でパレット２８からずれなくなる。
【００３９】
続いて図５−８に基づき本発明の第２実施形態を説明する。図５は梱包箱の長手方向に沿って切断した梱包構造の垂直断面図、図６は図１のＢ−Ｂ線に沿って切断した垂直断面図、図７は分解状態の梱包箱の斜視図、図８は梱包完了状態の梱包箱をパレットに固定する状況を説明する斜視図である。
【００４０】
第２実施形態の梱包構造１では、胴部１１Ａとこれに被さる蓋１１Ｂが梱包箱１０を構成する。胴部１１Ａは、第１実施形態のカートンボックス１１から上フラップ１２、１３、１４、１５を取り除いたものにほぼ等しい。下フラップはそのまま残っており、それには第１実施形態と同じ符号が付してある。梱包箱１０に入れられる物品４０として例示されているのがガスタービンの燃焼器であることは第１実施形態と変わらない。枕木２０、２１、ハニカム構造段ボールシート、くさび体２３、２５、２６、及びビーム２７も第１実施形態と共通である。
【００４１】
下フラップ１８、１９を内側に折り込み、それに続いて下フラップ１６、１７を内側に折り込むと、上面の開いた直方体形状の胴部１１Ａが起函される。この胴部１１Ａの内部底面に、胴部１１Ａの長手方向と直角をなす形で枕木２０、２１を載置固定する。枕木２０、２１の上に物品４０を載置し、物品４０の一方の端部と胴部１１Ａの内面との間にハニカム構造段ボールシート２２を挿入する。物品４０の外面と胴部１１Ａの内面との隙間にはくさび体２３、２５、２６を挿入する。くさび体を挿入した後、胴部１１Ａの中の長手方向の角に沿う形で１対のビーム２７を挿入する。蓋１１Ｂを被せない状態で、ビーム２７の上部が胴部１１からはみ出す形になるよう、くさび体２３、２５、２６とビーム２７の寸法を設定する。
【００４２】
ここまでの準備を整えた上で胴部１１Ａに蓋１１Ｂを被せ、蓋１１Ｂを上から押し付けると、胴部１１Ａからはみ出していたビーム２７が押し込まれ、くさび体２３、２５、２６を圧迫する。それを受けてくさび体２３、２５、２６は物品４０を圧迫し、物品４０は枕木２０、２１とくさび体２３、２５、２６との間で挟みつけられることになる。
【００４３】
蓋１１Ｂをしっかり下に押し付けた状態で、胴部１１Ａと蓋１１Ｂを、テープ、ステープル、結束バンドなどを用いて連結固定し、梱包完了状態とする。
【００４４】
梱包完了状態の梱包箱１０は図８に示すように４本ひとまとめにしてパレット２８に結束バンド２９で固定する。４本の梱包箱１０のうち、パレット２８に接する少なくとも１本は、物品４０を梱包する前の段階でパレット２８にステープルで固定しておく。これにより、結束バンド２９で結束された梱包箱１０の全てが、荷役の途中でパレット２８からずれなくなる。
【００４５】
梱包箱１０には、物品４０に関する情報を記録した非接触ＩＣタグを装着することができる。以下これを図９以下の図に基づき説明する。
【００４６】
図９は梱包箱１０の一部を拡大して示す斜視図である。梱包箱１０の表面には、非接触ＩＣタグの所在を示すマーク３０が、印刷、シール貼り、スタンプ押し、型押し、あるいはこれらの組み合わせによって形成されている。マーク３０自体は図形、文字、バーコード、二次元バーコード、あるいはこれらの組み合わせにより構成される。そしてマーク３０に対応する梱包箱１０の内面には、図１０に見られるように凹部３１が形成され、その底部に図非接触ＩＣタグ３２が装着されている。凹部３１は型押しにより形成することができる。非接触ＩＣタグ３２は接着、テープによる貼り付けなどの手段で脱落しないようにしっかりと装着する。
【００４７】
このように、外部から手の届かない、梱包箱１０の内側に非接触ＩＣタグ３２を配置したので、非接触ＩＣタグ３２が取り去られたり、記録内容が改竄されたりするおそれが少ない。また非接触ＩＣタグ３２は凹部３１の中に収まっているので、枕木２０、２１、ハニカム構造段ボールシート２２、くさび体２３、２５、２６、ビーム２７、物品４０などを挿入するとき、それらが当たって脱落することが防がれる。
【００４８】
図１１には非接触ＩＣタグ３２の配置場所に関する変形実施態様を示す。この実施態様では、梱包箱１０の段ボール紙を構成する３層のコルゲート層のうち、中央の層に空洞３３を形成し、その中に非接触ＩＣタグ３２を配置した。これにより、非接触ＩＣタグ３２の保護はさらに完全なものになる。
【００４９】
以上本発明の実施形態につき説明したが、この他、発明の主旨を逸脱しない範囲で種々の変更を加えて実施することができる。
【産業上の利用可能性】
【００５０】
本発明は、大型・大重量の物品を梱包する梱包構造に広く利用可能である。
【図面の簡単な説明】
【００５１】
【図１】本発明の第１実施形態に係る、梱包箱の長手方向に沿って切断した梱包構造の垂直断面図
【図２】図１のＡ−Ａ線に沿って切断した垂直断面図
【図３】ハニカム構造段ボールシートの正面図
【図４】梱包完了状態の梱包箱をパレットに固定する状況を説明する斜視図
【図５】本発明の第２実施形態に係る、梱包箱の長手方向に沿って切断した梱包構造の垂直断面図
【図６】図５のＢ−Ｂ線に沿って切断した垂直断面図
【図７】分解状態の梱包箱の斜視図
【図８】梱包完了状態の梱包箱をパレットに固定する状況を説明する斜視図
【図９】梱包箱の部分拡大斜視図
【図１０】梱包箱の部分拡大断面図
【図１１】変形実施態様に係る、梱包箱の拡大部分断面図
【符号の説明】
【００５２】
１    梱包構造
１０  梱包箱
１１  カートンボックス
１１Ａ  胴部
１１Ｂ  蓋
１２、１３、１４、１５  上フラップ
１６、１７、１８、１９  下フラップ
２０、２１  枕木
２２  ハニカム構造段ボールシート
２３、２５、２６  くさび体
２７  ビーム
４０  物品
【図１】
2008189360.tif 000003
【図２】
2008189360.tif 000004
【図３】
2008189360.tif 000005
【図４】
2008189360.tif 000006
【図５】
2008189360.tif 000007
【図６】
2008189360.tif 000008
【図７】
2008189360.tif 000009
【図８】
2008189360.tif 000010
【図９】
2008189360.tif 000011
【図１０】
2008189360.tif 000012
【図１１】
2008189360.tif 000013